(57)【要約】      （修正有）【課題】書類を現場の劣悪な環境から保護できるとともに、書類が風の影響で飛散することを防止できる荷役車両の書類保護器具を提供する。【解決手段】車両のボンネット５に、書類Ｐを挟持するバインダー１２を保護するために、保護カバー１３を設ける。この保護カバー１３は、バインダー１２および書類Ｐを覆う、四方の側板１５ａ〜１５ｄおよび上板１６から形成される底面開放型のボックス１７と、側板１５ａの下辺を回転軸１８ａとして開閉可能に連結された底板１８から形成され、バインダー１２および書類Ｐを覆い、ボンネット５に対して開閉自在に構成されている。また底板１８に、ボンネット５に吸着する第１磁石板２０が設けられている。上記構成により、書類Ｐがボックス１７に覆われ、書類Ｐを現場の劣悪な環境から保護できるとともに、書類Ｐが風の影響で飛散することを防止できる。【選択図】図４
0003141390.tif 000002
【実用新案登録請求の範囲】
【請求項１】
荷を支持する荷役装置を有する車両に設けられた、書類を挟持する書類挟持具を保護する荷役車両の書類保護器具であって、
前記書類保護器具は、
前記書類挟持具および前記書類を覆う、四方の側板および上板から形成される底面開放型の箱体と、
前記四方の側板の内、予め設定された１枚の側板の下辺に、前記側板の下辺を回転軸として開閉可能に連結された下部部材
から形成され、
前記下部部材に、前記書類挟持具が設けられた前記車両に吸着する第１吸着体を設け、
前記下部部材が前記第１吸着体により前記車両に吸着されて、前記箱体が、前記書類挟持具および書類を覆うように前記車両へ設けられ、前記車両に対して開閉自在に構成されていること
を特徴とする荷役車両の書類保護器具。
【請求項２】
前記下部板材が設けられる前記側板と対向する側板の下部に、前記車両に吸着する第２吸着体を設け、
前記第２吸着体により前記箱体が閉じた状態に維持されること
を特徴とする請求項１に記載の荷役車両の書類保護器具。
【請求項３】
前記箱体が閉じられた状態で、前記車両に接触する前記箱体の下部に、前記箱体内と前記箱体外とを遮断する遮断材を設けたこと
を特徴とする請求項１または請求項２に記載の荷役車両の書類保護器具。
【請求項４】
前記箱体が無色透明であること
を特徴とする請求項１〜請求項３のいずれか１項に記載の荷役車両の書類保護器具。
【考案の詳細な説明】
【技術分野】
【０００１】
本考案は、フォークリフト等、荷役車両に備えられる書類保護器具に関する。
【背景技術】
【０００２】
従来、ボンネット上部の座席の一側方に書類を挟持する挟持具が設けられた荷役車両の一例が、特許文献１に開示されている。
この荷役車両に設けられたエンジンは、ボンネットにより覆われており、このボンネットの上部にオペレーター（荷役車両の運転者）用の座席が設けられている。すなわち、ボンネットの上部が荷役車両の運転部として形成されており、その上部に運転者を保護する屋根としてヘッドガードが設けられ、前記運転部にはハンドルや各種操作レバーが設けられ、オペレーターが座席に座った状態で、ハンドルや各種操作レバーを操作することによって、荷役作業が実行される。またボンネットの上部に設けられた座席の一側方に、オペレーターが腕を置くアームレストが設けられている。
【０００３】
また、荷役作業を行うオペレーターが、荷役作業の内容や手順を記載した書類（例えば、入出庫伝票等）を見ながら、上記ハンドルや各種操作レバーを操作する場合、書類を手に持ったままでハンドルや各種操作レバーを操作することになり、書類を破損し読み辛くなるだけでなく、荷役車両の操作を誤る恐れがある。これを改善するために、座席の一側方に前記書類を挟持する挟持具が、上記アームレストに受け台を介して設けられている。
【０００４】
このような構成により、書類は挟持具によって挟持されているため、書類が舞い落ちることが防止され、またオペレーターは座席に座った状態で書類を見ながら荷役作業を実行できる。この際、受け台がアームレストに設けられているため、受け台上に載置された挟持具は座席の一側部に位置し、挟持具の位置が座席に座ったオペレーターの手の位置に等しい位置となることにより、オペレーターは挟持具に対する書類の取付け取外しを容易に行える。
【特許文献１】特許第３９７３３４１号公報
【考案の開示】
【考案が解決しようとする課題】
【０００５】
しかしながら、上記構成の荷役車両では、座席上方にはヘッドガードが設けられているものの、周囲はヘッドガードの支持部材を除いて外部とオープンにされており、挟持具に挟持された状態の書類が、現場の劣悪な環境により汚損される恐れがあった。例えば、荷役車両の走行等により巻き上げられた埃が書類に付着したり、雨天時には、書類が雨に濡れてしまったりして汚損される恐れがあった。また強風時には書類が挟持具に挟持されていても、書類が飛散してしまう恐れがあった。
【０００６】
そこで本考案は、書類を現場の劣悪な環境から保護できるとともに、書類が風の影響で飛散することを防止できる荷役車両の書類保護器具を提供することを目的とする。
【課題を解決するための手段】
【０００７】
前述した目的を達成するために、本考案の請求項１記載の考案は、荷を支持する荷役装置を有する車両に設けられた、書類を挟持する書類挟持具を保護する荷役車両の書類保護器具であって、前記書類保護器具は、前記書類挟持具および前記書類を覆う、四方の側板および上板から形成される底面開放型の箱体と、前記四方の側板の内、予め設定された１枚の側板の下辺に、前記側板の下辺を回転軸として開閉可能に連結された下部部材から形成され、前記下部部材に、前記書類挟持具が設けられた前記車両に吸着する第１吸着体を設け、前記下部部材が前記第１吸着体により前記車両に吸着されて、前記箱体が、前記書類挟持具および書類を覆うように前記車両へ設けられ、前記車両に対して開閉自在に構成されていることを特徴とするものである。
【０００８】
上記構成によれば、書類挟持具および書類挟持具に挟持された書類が箱体に覆われることにより、前記書類が挟持されている箱体内と箱体外の環境が遮断されるため、前記書類が現場の劣悪な環境から保護されるとともに、風の影響からも保護される。また底面開放型の箱体の予め設定された１枚の側板の下辺に、車両に吸着する第１吸着体を設けたことにより、書類保護器具は車両へ自在に装着される。また前記側板の下辺を回転軸として下部部材が開閉可能に連結され、箱体を車両に対して開閉自在としたことにより、前記書類保護器具を取り外すことなく必要な書類が出し入れされる。
【０００９】
また請求項２に記載の考案は、請求項１に記載の考案であって、前記下部部材が設けられる前記側板と対向する側板の下部に、前記車両に吸着する第２吸着体を設け、前記第２吸着体により前記箱体が閉じた状態に維持されることを特徴とするものである。
【００１０】
上記構成によれば、下部部材が設けられる側板と対向する側板の下部に第２吸着体を設けたことにより、車両へ開閉自在に設けられた書類保護器具の箱体が、前記第２吸着体により閉じた状態に維持されて、前記箱体の自然開放が防止される。
【００１１】
また請求項３に記載の考案は、請求項１または請求項２に記載の考案であって、前記箱体が閉じられた状態で、前記車両に接触する前記箱体の下部に、前記箱体内と前記箱体外とを遮断する遮断材を設けたことを特徴とするものである。
【００１２】
上記構成によれば、車両に接触する箱体の下部に遮断材を設けたことにより、書類保護器具を閉じた状態で、前記車両と前記箱体の下部が隙間なく接触するため、箱体内と箱体外の環境がより確実に遮断され、前記書類が、現場の劣悪な環境からより確実に保護されるとともに、風の影響からもより確実に保護される。
【００１３】
また請求項４に記載の考案は、請求項１〜請求項３のいずれか１項に記載の考案であって、前記箱体が無色透明であることを特徴とするものである。
上記構成によれば、箱体が無色透明であることにより、書類保護器具が車両に対して閉じた状態にあっても、箱体内で挟持されている書類の内容が読み取れる。
【考案の効果】
【００１４】
本考案の書類保護器具によれば、書類挟持具および書類挟持具に挟持された書類が箱体に覆われることにより、前記書類が挟持されている箱体内と箱体外の環境が遮断されるため、前記書類を現場の劣悪な環境から保護できるとともに、前記書類が風の影響により飛散することを防止できる。また底面開放型の箱体の予め設定された１枚の側板の下辺に、車両に吸着する第１吸着体を設けたことにより、書類保護器具を車両へ自在に装着できる。また前記側板の下辺を回転軸として下部部材が開閉可能に連結され、箱体を車両に対して開閉自在としたことにより、前記書類保護器具を取り外すことなく必要な書類を出し入れできる。
【考案を実施するための最良の形態】
【００１５】
以下、本考案を実施するための最良の形態を図面に基づいて説明する。
図１，図２に示すように、１は荷役車両の一例であるフォークリフトであり、車両２の前部に、荷を支持するフォーク３と、フォーク３を昇降させるマスト装置（荷役装置の一例）４が設けられている。また、車両２の中央部には、エンジンを覆う、車両２の車幅を有した鉄製のボンネット５が設けられ、このボンネット５の上部が運転部６として形成されている。この運転部６には、座席７やハンドル８等が設けられ、前後左右の支持部材９ａを介して上部にヘッドガード９が設けられている。以下本実施の形態において、フォークリフト１の前後進方向を前後方向Ａとする。
【００１６】
上記運転部６には、図２，図３に示すように、座席７が、ボンネット５上部の前後方向Ａと直行する左右方向の中央位置に設けられ、座席７の前方に車両２のハンドル８が配設され、このハンドル８の右側部に、フォーク３を昇降させる昇降用レバー１０や、マスト装置４を前後方向Ａに傾斜させるティルト用レバー１１等、複数本の操作レバーが設けられている。また、ボンネット５上には、座席７の右側方に書類（入出庫用伝票等）Ｐを挟持するバインダー（書類挟持具の一例）１２が設けられ、このバインダー１２およびバインダー１２に挟持された書類Ｐを覆うように、保護カバー（書類保護器具の一例）１３が設置されている。
【００１７】
上記保護カバー１３は、図４に示すように、前後左右にそれぞれ立設された四方の側板１５ａ，１５ｂ，１５ｃ，１５ｄ、および枠状に形成された四方の側板１５ａ〜１５ｄを上方より塞ぐ上板１６から形成される底面開放型のボックス（箱体の一例）１７と、四方の側板１５ａ〜１５ｄの内、座席７から最遠方に設けられる側板１５ａ（予め設定された１枚の側板の一例）の下辺に、この側板１５ａの下辺を回転軸１８ａとして、ピン（図示せず）等により開閉可能に連結された底板（下部部材の一例）１８から形成されている。
【００１８】
上記底板１８は、ボックス１７が底板１８に対して閉じられた状態にあるとき、側板１５ａの下辺に沿って、ボックス１７の底面を一部覆うように、矩形状に形成されており、底板１８の外方面には、ボンネット５に吸着する第１磁石板（第１吸着体の一例）２０が設けられている。また底板１８が設けられる側板１５ａと対向する側板１５ｃの下辺に、ボンネット５に吸着する第２磁石板（第２吸着体の一例）２１が設けられている。なお、第２磁石板２１は、矩形状に形成されているものの、側板１５ｃの下辺に設けられるものであり、ボンネット５と接触する面積が小さく、よって第１磁石板２０の吸着力と第２磁石板２１の吸着力を比較すると、第２磁石板２１の吸着力の方が小さなものとなっている。
【００１９】
上記ボックス１７を形成する、側板１５ａ〜１５ｄ，上板１６，底板１８は、透明樹脂により形成されている。またボンネット５上のボックス１７が閉じられた状態で、ボンネット５に接触するボックス１７の下部に、すなわち側板１５ａ〜１５ｄの第１磁石板２０および第２磁石板２１が設けられていない側板１５ｂ，１５ｄの下部に、図４に斜線で示すように、ボックス１７内とボックス１７外とを遮断するシール材（遮断材の一例）２３が設けられている。なお、シール材２３は市販のものでよく、閉じられた状態のボックス１７内とボックス１７外とを遮断できればよい。
【００２０】
以下、上記構成における作用を説明する。
図４（ａ）に示すように、保護カバー１３のボックス１７が、座席７の右側方に予め設けられているバインダー１２およびバインダー１２に挟持される書類Ｐを覆うように、かつ底板１８の第１磁石板２０が座席７より最遠方になるように、ボックス１７の底板１８がボンネット５上に置かれる。すると、バインダー１２およびバインダー１２に挟持される書類Ｐが保護カバー１３により保護されるとともに、第１磁石板２０がボンネット５に吸着し、保護カバー１３が容易かつ迅速にボンネット５上に装着される。また、側板１５ｃの下部に設けられた第２磁石板２１がボンネット５に吸着することにより、ボックス１７が閉じられた状態で保護カバー１３が装着される。この際、第１磁石板２０が十分な吸着力のある磁石から形成されており、保護カバー１３がボンネット５上にしっかりと固定され、作業中にボンネット５から脱落することはない。
【００２１】
そして、図４（ｂ）に示すように、ボックス１７の側板１５ｃ側を引き上げて、保護カバー１３を開状態にし、荷役作業の内容や手順を記載した書類Ｐをバインダー１２に挟持し、保護カバー１３を閉状態にすることにより、書類Ｐがボックス１７に覆われ、すなわち書類Ｐが保護カバー１３に覆われる。このとき、保護カバー１３は、側板１５ａ，１５ｃとボンネット５との間はそれぞれ、第１磁石板２０と第２磁石板２１により、また側板１５ｂ，１５ｄとボンネット５との間はそれぞれ、シール材２３によりボンネット５に隙間なく装着され、ボックス１７内とボックス１７外とが遮断される。
【００２２】
以上のように本実施の形態によれば、バインダー１２およびバインダー１２に挟持された書類Ｐがボックス１７に覆われることにより、書類Ｐが挟持されているボックス１７内とボックス１７外の環境が遮断されるため、書類Ｐを現場の劣悪な環境から保護できるとともに、書類Ｐが風の影響により飛散することを防止できる。また底面開放型のボックス１７の座席７から最遠方に設けられる側板１５ａの下辺に、ボンネット５に吸着する第１磁石板２０を設けたことにより、保護カバー１３をボンネット５へ自在に装着できる。また側板１５ａの下辺を回転軸１８ａとして底板１８が開閉可能に連結され、ボックス１７をボンネット５に対して開閉自在としたことにより、保護カバー１３を取り外すことなく必要な書類Ｐを出し入れできる。
【００２３】
また本実施の形態によれば、バインダー１２および書類Ｐを覆うようにボンネット５へ開閉自在に設けられたボックス１７が、第２磁石板２１により閉じた状態に維持されることにより、ボックス１７の自然開放が防止され、書類Ｐを現場の劣悪な環境から保護できるとともに、書類Ｐが風の影響で飛散することを防止できる。
【００２４】
また本実施の形態によれば、側板１５ｂ,１５ｄの下部に、ボックス１７内とボックス１７外とを遮断するシール材２３を設けたことにより、ボックス１７が閉じた状態のとき、ボンネット５とボックス１７の下部とが隙間なく接触するため、シール材２３を設けない場合に比較して、ボックス１７内とボックス１７外の環境がより確実に遮断され、書類Ｐを現場の劣悪な環境からより確実に保護できるとともに、ボックス１７とボンネット５の間に風の吹き込む隙間がなく、書類Ｐが風の影響で飛散することをより確実に防止できる。
【００２５】
また本実施の形態によれば、ボックス１７が無色透明であることにより、ボックス１７を閉じた状態でも、フォークリフト１の運転者がボックス１７内で挟持されている書類Ｐの内容を読み取ることができる。
【００２６】
なお、本実施の形態では、保護カバー１３に第２磁石板２１を設け、ボックス１７を閉じた状態に維持しているが、第２磁石板２１に換えて、シール材２３を設ける構成としてもよい。このときボックス１７の自重によりボックス１７が閉じた状態に維持される。
【００２７】
また本実施の形態では、ボックス１７を開閉自在な構成としているが、このボックス１７の上板１６にボックス１７を上方へ引き上げる取手を設け、取手を把持してボックス１７の開閉を行ってもよい。この取手によりボックス１７の開閉をスムーズに行うことができる。また、この取手を無色透明な素材から形成し、無色透明な接着材にて上板１６に接着することにより、ボックス１７を閉じた状態でも、フォークリフト１の運転者がボックス１７内で挟持されている書類Ｐの内容を読み取ることができる。
【００２８】
また本実施の形態では、保護カバー１３の底板１８が、ボックス１７の底部を一部だけ覆うように構成しているが、底板がボックス１７の底部を完全に覆うように形成し、この底板にバインダー１２と嵌め合わされる孔部を形成するような構成としてもよい。このような構成によれば、ボンネット５の表面形状、あるいはボンネット５の汚損にかかわらず、書類Ｐの裏面も保護カバー１３にて覆われ、書類Ｐを現場の環境から保護することができる。
【００２９】
また本実施の形態では、保護カバー１３が第１磁石板２０および第２磁石板２１によりボンネット５上に吸着されているが、これは第１磁石板２０および第２磁石板２１に限らず、保護カバー１３をボンネット５上に装着させればよく、例えば吸盤や、接着剤、または底板１８をボンネット５にネジ止めするような構成であってもよい。なお、吸盤やネジ止めにて保護カバー１３をボンネット５に装着させる場合には、各吸盤間または各ネジ間にシール材２３を設け、書類Ｐが保護カバー１３に覆われるようにする。
【００３０】
また本実施の形態では、保護カバー１３が、ボンネット５上の座席７の右側方に設けられたバインダー１２を覆う構成としているが、フォークリフト１において、バインダー１２が形成される位置が、座席７の右側方に限らず、例えば座席７の後方にバインダー１２が設けられている場合には、バインダー１２の位置と方向に適合させて保護カバー１３を装着する。
【図面の簡単な説明】
【００３１】
【図１】本考案の実施の形態におけるフォークリフトの側面図である。
【図２】同フォークリフトの運転部の平面図である。
【図３】同フォークリフトの運転部の斜視図である。
【図４】同フォークリフトの書類の保護カバーの斜視図であり、（ａ）は閉状態、（ｂ）は開状態を示す。
【符号の説明】
【００３２】
Ａ          前後方向
Ｐ          書類
１          フォークリフト
２          車両
５          ボンネット
６          運転部
１２          バインダー
１３          保護カバー
１５ａ〜１５ｄ  側板
１６          上板
１７          ボックス
１８          底板
１８ａ        回転軸
２０          第１磁石板
２１          第２磁石板
２３          シール材
【図１】
0003141390.tif 000003
【図２】
0003141390.tif 000004
【図３】
0003141390.tif 000005
【図４】
0003141390.tif 000006